【事件の表示】
　特願２０１３−２１９６６７号「空調設備」拒絶査定不服審判事件〔平成２７年　４月２７日出願公開、特開２０１５−　８０５９０号、請求項の数（５）〕について、次のとおり審決する。
【結　論】
　原査定を取り消す。
　本願の発明は、特許すべきものとする。
【理　由】
第１　手続の経緯　
　本願は、平成２５年１０月２２日に出願されたものであって、平成２９年１０月２３日付けで拒絶理由が通知され、同年１２月１３日に意見書及び手続補正書が提出され、平成３０年５月１１日付けで拒絶査定がされ、これに対し、同年８月２２日に拒絶査定不服審判が請求されると同時に手続補正書が提出されたものである。
第２　原査定の概要
　原査定（平成３０年５月１１日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
・請求項１、２
・引用文献１、２
・請求項３、４
・引用文献１〜３
・請求項５
・引用文献１、２、４
＜引用文献等一覧＞
１．特開２０１３−１４８２４１号公報
２．特開２０００−１０４９６８号公報
３．特開２０１３−７６４９３号公報
４．特開２００５−４７３３１号公報
第３　審判請求時の補正
  審判請求時の補正は、特許法第１７条の２第３項から第６項までの要件に違反しているものとはいえない。
　請求項１、２に対し、「境界部」が「天井
の各辺
の中央
各入隅部
　また、それら補正に係る事項は、願書に最初に添付された明細書の段落【００５１】及び同図面の【図２】に記載されているから、当該補正は新規事項を追加するものではない。
　そして、「第４　本願発明」から「第６　対比・判断」までに示すように、補正後の請求項１〜５に係る発明は、独立特許要件を満たすものである。
第４　本願発明
　本願の請求項１〜５に係る発明（以下「本願発明１」〜「本願発明５」という。また、まとめて「本願発明」ということもある。）は、平成３０年８月２２日付けの手続補正により補正された請求項１〜５に記載された事項により特定される次のとおりのものと認める。
 「【請求項１】
　壁と天井と床とによって規定され、天井の各辺と壁との境界部に沿って天井における壁の近傍に貫通孔が設けられ、床に手術台が設置される手術室の空調設備であって、
　天井の中央に設置されるフィルタユニットであって、
　　第１吸込口と、手術台に臨んで配設される第１吹出口とを有する、天井に取り付けられる第１筐体と、
　　第１筐体内に設けられ、第１吸込口から空気を吸引し、かつ吸引した空気を第１吹出口へ排出する第１送風機と、
　　第１吹出口を覆うフィルタとを備えるフィルタユニットと、
　手術室の壁の各入隅部に設置される空調ユニットであって、
　　手術台に臨んで配設される第２吸込口と、第２吹出口とを有する、床上に設置される第２筐体と、
　　第２筐体内に設けられ、第２吸込口から空気を吸引し、かつ吸引した空気を第２吹出口へ排出する第２送風機と、
　　第２筐体内に設けられ、第２吸込口から第２吹出口へ流れる空気を昇温または冷却して、該空気の温度を予め定める温度に調節する温度調節手段とを備える空調ユニットと、
　一端部が前記空調ユニットの第２吹出口に接続され、他端部が前記フィルタユニットの第１吸込口に接続される第１ダクトと、
　手術室の室外に配置される中空の吸気部材であって、前記貫通孔に臨んで配設され、前記境界部に沿って延びる吸気口と、該吸気口から吸引した空気を排出するための排気口とを有する吸気部材と、
　一端部が吸気部材の排気口に接続され、他端部が第１筐体に接続され、該他端部に、第１筐体内の空気の流れによって、前記空気の流れの方向に内部の空気を引き出す吸引力が生じる第２ダクトとを含むことを特徴とする空調設備。
　　【請求項２】
　壁と天井と床とによって規定され、天井の各辺と壁との境界部に沿って壁における天井の近傍に貫通孔が設けられ、床に手術台が設置される手術室の空調設備であって、
　天井の中央に設置されるフィルタユニットであって、
　　第１吸込口と、手術台に臨んで配設される第１吹出口とを有する、天井に取り付けられる第１筐体と、
　　第１筐体内に設けられ、第１吸込口から空気を吸引し、かつ吸引した空気を第１吹出口へ排出する第１送風機と、
　　第１吹出口を覆うフィルタとを備えるフィルタユニットと、
　手術室の壁の各入隅部に設置される空調ユニットであって、
　　手術台に臨んで配設される第２吸込口と、第２吹出口とを有する、床上に設置される第２筐体と、
　　第２筐体内に設けられ、第２吸込口から空気を吸引し、かつ吸引した空気を第２吹出口へ排出する第２送風機と、
　　第２筐体内に設けられ、第２吸込口から第２吹出口へ流れる空気を昇温または冷却して、該空気の温度を予め定める温度に調節する温度調節手段とを備える空調ユニットと、
　一端部が前記空調ユニットの第２吹出口に接続され、他端部が前記フィルタユニットの第１吸込口に接続される第１ダクトと、
　手術室の室外に配置される中空の吸気部材であって、前記貫通孔に臨んで配設され、前記境界部に沿って延びる吸気口と、該吸気口から吸引した空気を排出するための排気口とを有する吸気部材と、
　一端部が吸気部材の排気口に接続され、他端部が第１筐体に接続され、該他端部に、第１筐体内の空気の流れによって、前記空気の流れの方向に内部の空気を引き出す吸引力が生じる第２ダクトとを含むことを特徴とする空調設備。
　　【請求項３】
　前記フィルタユニットおよび前記空調ユニットの少なくとも起動および停止を含む予め定める動作を制御する制御手段をさらに含み、
　前記制御手段は、接触によって前記予め定める動作に対する指令を入力するためのタッチパネル入力部を備えることを特徴とする請求項１または２に記載の空調設備。
　　【請求項４】
　前記フィルタユニットおよび前記空調ユニットの予め定める動作を制御する制御手段をさらに備え、
　前記制御手段は、音声によって前記予め定める動作に対する指令を入力するための音声認識入力部を備えることを特徴とする請求項１または２に記載の空調設備。
　　【請求項５】
　前記フィルタユニットおよび前記空調ユニットの少なくとも起動および停止を含む予め定める動作を制御する制御手段と、前記手術室内を撮像する撮像手段とをさらに含み、
　前記制御手段は、前記撮像手段によって撮像された画像に基づいて、前記予め定める動作に対する指令を入力するための画像認識入力部を備えることを特徴とする請求項１または２に記載の空調設備。」
第５　引用文献の記載事項等
１　引用文献１について
（１）記載事項
　原査定の拒絶の理由に引用された引用文献１には、以下の事項が記載されている（なお、下線は当審で付加した。以下同様。）。
（１ａ）「【請求項１】
　
手術室を空調する手術室空調システムであって、
　手術台の直上に設けられた第１吹出口と、
　当該第１吹出口の周囲に設けられた第２吹出口と、を備え、
　前記第１吹出口は、室温よりも高温の空気を、前記手術台に向かって吹き出し、
　前記第２吹出口は、室温よりも低温の空気を、前記手術台の周囲に向かって吹き出すことを特徴とする手術室空調システム。
（１ｂ）「【００２４】
　以下、本発明の実施形態を図面に基づいて説明する。なお、以下の実施形態の説明にあたって、同一構成要件については同一符号を付し、その説明を省略もしくは簡略化する。
〔第１実施形態〕
　図１は、本発明の第１実施形態に係る手術室空調システム１０が適用された手術室１の断面図である。
【００２５】
　手術室空調システム１０は、手術室１を空調して、この手術室１を周囲の空間に対して陽圧に保つものである。
手術室１は、床面２、天井面３、壁面４で囲まれた空間であり、床面２の略中央には、手術台５が設けられている。
　手術台５上には、患者Ａが仰向けに配置されており、手術台５の周囲には、術者Ｂ〜Ｄが配置されている。この手術台５では、術者Ｂ〜Ｄにより、腹腔鏡を用いて患者Ａの腹腔内で手術が行われている。
【００２６】
　
手術室空調システム１０は、天井面３から手術台５に向かって空気を吹き出す第１空調系統２０と、天井面３から手術台５の周囲に向かって空気を吹き出す２つの第２空調系統３０と、を備える。
【００２７】
　
第１空調系統２０は、天井面３の略中央に設けられて第１吹出口２１を有する第１フィルタボックス２２と、天井面３の第１吹出口２１から離れた位置に設けられた第１吸込口２３と、この第１吸込口２３から第１フィルタボックス２２に至るダクト２４と、
を備える。
【００２８】
　
第１フィルタボックス２２の第１吹出口２１側には、空気浄化フィルタ２２１が設けられている。
【００２９】
　この第１空調系統２０では、循環ファン２５を駆動して、第１吸込口２３から空気を吸い込み、この吸い込んだ空気の温度を電熱ヒータ２６で上昇させて、第１吹出口２１から吹き出す。
　このとき、可変定風量装置２７内のダンパを制御することにより、第１吹出口２１からの吹出し空気の風量を調整する。なお、これに限らず、循環ファン２５をインバータ制御やサイリスタ制御することにより、第１吹出口２１からの吹出し空気の風量を調整してもよい。
【００３０】
　
第２空調系統３０は、天井面３の第１吹出口２１の周囲に設けられて第２吹出口３１を有する第２フィルタボックス３２と、壁面４の下部に設けられて第２吸込口３３を有する空調機３４と、この空調機３４から第２フィルタボックス３２に至るダクト３５と、を備える。
【００３１】
　ここで、第２吹出口３１を、第１吹出口２１の全周に亘って囲むように配置してもよい。つまり、第２吹出口３１で囲まれた中心に第１吹出口２１を配置してもよい。
　あるいは、第２吹出口３１を一対とし、この一対の第２吹出口３１を、第１吹出口２１を挟んで配置してもよい。
【００３２】
　
第２フィルタボックス３２の第２吹出口３１側には、空気浄化フィルタ３２１が設けられている。
　２つの空調機３４のうち、図１中左側に位置する
空調機３４は、送風機３４１、冷却コイル３４２、および加熱コイル３４３を備えている。
空調機３４は、送風機３４１および冷却コイル３４２を備えている
【００３３】
　なお、これに限らず、図１中右側の空調機３４にも加熱コイルを設けて、図１中左右
両方の空調機に加熱コイルを設けてもよい。
【００３４】
　この第２空調系統３０では、空調機３４の送風機３４１を駆動して第２吸込口３３から
空気を吸い込み、この吸い込んだ空気を冷却コイル３４２で冷却し、冷却後に加熱コイル３４３で加熱（再熱）して、第２吹出口３１から吹き出す。」
（１ｃ）「【００５１】
　なお、本発明は前記実施形態に限定されるものではなく、本発明の目的を達成できる範囲での変形、改良等は本発明に含まれるものである。
　
なお、上述の各実施形態では、天井面３に第１吸込口２３を設けたが、これに限らず、壁面４の下部に設けてもよい。
（１ｄ）「【００５２】
　また、上述の各実施形態では、可変定風量装置２７を設けたが、この可変定風量装置２７を設けなくてもよい。
　また、上述の各実施形態では、第１吸込口２３側から、循環ファン２５、電熱ヒータ２６の順に設けたが、これに限らず、第１吸込口２３側から、電熱ヒータ２６、循環ファン２５の順に設けてもよいし、循環ファン２５と電熱ヒータ２６とを一体化して空調機としたり、
第１フィルタボックス２２に循環ファン２５および電熱ヒータ２６の機能を組み込んだりしてもよい。
（１ｅ）【図１】は次のとおりである。
（２）引用発明
　上記（１）の各記載事項からみて、引用文献１には次の発明（【図１】に係る第１実施形態に対し、記載事項（１ｂ）の段落【００３３】の下線部の変形及び記載事項（１ｄ）の下線部の変形を加えたものに対応。以下「引用発明」という。）が記載されているものと認める。
 「床面２、天井面３、壁面４で囲まれた空間であり、床面２の略中央には、手術台５が設けられている手術室１を空調する手術室空調システム１０であって、
　手術室空調システム１０は、天井面３から手術台５に向かって空気を吹き出す第１空調系統２０と、天井面３から手術台５の周囲に向かって空気を吹き出す２つの第２空調系統３０と、を備え、
　第１空調系統２０は、天井面３の略中央に設けられて、手術台５の直上に設けられた第１吹出口２１を有する第１フィルタボックス２２と、天井面３の第１吹出口２１から離れた位置に設けられた第１吸込口２３と、この第１吸込口２３から第１フィルタボックス２２に至るダクト２４と、を備え、
　第１フィルタボックス２２に循環ファン２５および電熱ヒータ２６の機能を組み込み、
　第１フィルタボックス２２の第１吹出口２１側には、空気浄化フィルタ２２１が設けられ、
　第２空調系統３０は、天井面３の第１吹出口２１の周囲に設けられて第２吹出口３１を有する第２フィルタボックス３２と、壁面４の下部に設けられて第２吸込口３３を有する空調機３４と、この空調機３４から第２フィルタボックス３２に至るダクト３５と、を備え、
　空調機３４は、送風機３４１、冷却コイル３４２、および加熱コイル３４３を備え、
　第２フィルタボックス３２の第２吹出口３１側には、空気浄化フィルタ３２１が設けられており、
　前記第１吹出口２１は、室温よりも高温の空気を、前記手術台５に向かって吹き出し、
　前記第２吹出口３１は、室温よりも低温の空気を、前記手術台５の周囲に向かって吹き出す手術室空調システム１０。」
２　引用文献２について
（１）記載事項
　原査定の拒絶の理由に引用された引用文献２には、以下の事項が記載されている。
（２ａ）「【請求項１】　クリーンルーム内に設置される空気調和機と、
前記クリーンルーム内に設けられると共に、前記空気調和機の吹出口に連通するダクト室と、
前記クリーンルーム天井部に設けられてクリーンルーム内に清浄化された空気を供給する給気用ファンフィルタユニットと、
前記ダクト室と前記給気用ファンフィルタユニットの吸込口間を連結するダクトとを備えたことを特徴とするクリーンルームシステム。
【請求項２】　前記ダクト室は、クリーンルームに開口する吸込口を備えたことを特徴とする請求項１記載のクリーンルームシステム。」
（２ｂ）「【０００１】
【発明の属する技術分野】本願発明は、薬品調剤や食品製造等に用いられるクリーンルームシステムに係わり、特に既存の建物の内部に、必要とする空気清浄度及び適切な室温を有しなければならないクリーンルームを短期間に且つ簡単な施工によって作り出せるようにしたクリーンルームシステムに関するものである。」
（２ｃ）「【０００６】
【発明が解決しようとする課題】従来のこの種のクリーンルームシステムは上記のように構成されており、クリーンルーム１の外に床置型エアコン３が設置されているために、クリーンルーム１の下部に還気口を形成してエアコン３の吸込口との間を還気ダクト７で連結しなければならず、これに関する材料費、施設工事費が高価になり、工期も長くなるという不都合があり、経済的ではない。
【０００７】そこで、本願発明はこのような課題を解決するためになされたものであり、床置型エアコン等の空気調和機をクリーンルーム内に設置するという発想の転換により、材料費や施設工事費の低減、工期の短縮を図ることができる経済的なクリーンルームシステムを提供することを目的とするものである。」
（２ｄ）「【００１２】本実施形態においても、既存の建物の内部にプレハブ等によりクリーンルーム１を形成し、このクリーンルーム１の天井面に高性能エアフィルタ（ＨＥＰＡフィルタ）２ａ及びファン２ｂを内蔵した給気用ファンフィルタユニット２が設置される。
【００１３】本実施形態で最も特徴的な点は、従来の慣行には捕らわれずに、クリーンルーム１内側壁に、ファン３０ａや冷暖房用の熱交換器等（図示せず）を内蔵した空気調和機として、例えば床置型エアコン３０が設置されている点である。このエアコン３０は下部側に吸込口３０ｂを有し上部側に吹出口３０ｃを有する一般的なものであり、吸込口３０ｂ及び吹出口３０ｃはルーバーが形成された状態のままで使用される。なお、本実施形態で用いられるエアコン３０のファン３０ａは吸込口３０ｂが形成された下部側に配置されている。
【００１４】また、エアコン３０の上面とクリーンルーム１の天井間にはダクト室４０が形成され、エアコン３０の上面に開口３０ｄが形成されて、エアコン３０の吹出口３０ｃ等と連通するように構成されている。さらに、このダクト室４０には、クリーンルーム１内に面して開口する吸込口４０ａが形成されている。
【００１５】このようにエアコン３０をクリーンルーム１内に設置して、エアコン３０上面とクリーンルーム１天井面との間にダクト室４０を形成する構成とすることにより、還流ダクトをクリーンルーム１の天井高さに応じてエアコン３０の上部に簡単に設置できるので、工期の短縮、工事費の低減が実現でき、システムの低コスト化を図ることができる。
【００１６】また、上記ダクト室４０が形成された天井面には開口４０ｂが形成され、クリーンルーム１天井裏には、上記ダクト室４０と前記給気用ファンフィルタユニット２の吸込口とを連結するダクト４１が敷設される。
【００１７】上記ダクト室４０とファンフィルタユニット２を連結するダクト４１には、従来と同様に、通常のフィルタ５ａ及びファン５ｂを内蔵して外気を取り入れる外気処理ユニット５が接続され、クリーンルーム１の上部壁には陽圧ダンパー６が設けられており、クリーンルーム１内を若干陽圧に保って汚れた外気の侵入を防ぐように構成されている。」
（２ｅ）【図１】は次のとおりである。
第６　対比・判断
１　本願発明１について
(１)対比
　本願発明１と引用発明とを対比する。
ア　後者の「壁面４」は前者の「壁」に相当し、以下同様に、「天井面３」は「天井」に、「床面２」は「床」に、「手術台５」は「手術台」に、「手術室１」は「手術室」に、「手術室空調システム１０」は「空調設備」にそれぞれ相当する。
　また、後者の「第１吸込口２３」は「天井面３」を貫通することは明らかであるから（記載事項（１ｅ）参照。）、前者の「貫通孔」に相当する。
イ　後者の「第１吹出口２１」及び「第２吹出口３１」は前者の「第１吹出口」に相当し、以下同様に、「第１フィルタボックス２２」及び「第２フィルタボックス３２」は「第１筐体」に、「循環ファン２５」は「第１送風機」に、「空気浄化フィルタ２２１」及び「空気浄化フィルタ３２１」は「フィルタ」に、「ダクト２４」は「第２ダクト」にそれぞれ相当する。
ウ　上記イを踏まえると、後者の「第１吹出口２１」、「第２吹出口３１」、「第１フィルタボックス２２」、「第２フィルタボックス３２」、「循環ファン２５」、「電熱ヒータ２６」、「空気浄化フィルタ２２１」及び「空気浄化フィルタ３２１」からなるものは、前者の「フィルタユニット」に相当するといえる。
　また、後者の「第２フィルタボックス３２」は、「空調機３４から第２フィルタボックス３２に至るダクト３５」を備えるという事項及び記載事項（１ｅ）からみて、「吸込口」といえるものを有することは明らかであり、それは前者の「第１吸込口」に相当するといえる。
エ　後者の「空調機３４」は前者の「空調ユニット」に相当し、以下同様に、「第２吸込口３３」は「第２吸込口」に、「送風機３４１」は「第２送風機」に、「冷却コイル３４２、および加熱コイル３４３」は「温度調節手段」に、「ダクト３５」は「第１ダクト」にそれぞれ相当する。
オ　後者の「空調機３４」は、記載事項（１ｅ）からみて、「筐体」といえるものを有することは明らかであり、それは前者の「第２筐体」に相当するといえる。
　また、後者の「空調機３４」は、「空調機３４から第２フィルタボックス３２に至るダクト３５」を備えるという事項及び記載事項（１ｅ）からみて、「吹出口」といえるものを有することは明らかであり、それは前者の「第２吹出口」に相当するといえる。
カ　「空調機３４から第２フィルタボックス３２に至るダクト３５」を備えるという事項及び記載事項（１ｅ）からみて、後者の「ダクト３５」は、その一端部が上記オの「吹出口」といえるものに接続され、他端部が上記ウの「吸込口」といえるものに接続されることも明らかである。
　また、「第１吸込口２３から第１フィルタボックス２２に至るダクト２４」を備えるという事項及び記載事項（１ｅ）からみて、後者の「ダクト２４」は、その他端部が「第１フィルタボックス２２」に接続されることは明らかであり、当該他端部は、「第１フィルタボックス２２」内の空気の流れによって、空気の流れの方向に内部の空気を引き出す吸引力が生じることも明らかである。
キ　上記ア〜カを踏まえると、後者の
 「床面２、天井面３、壁面４で囲まれた空間であり、床面２の略中央には、手術台５が設けられている手術室１を空調する手術室空調システム１０であって、
　手術室空調システム１０は、天井面３から手術台５に向かって空気を吹き出す第１空調系統２０と、天井面３から手術台５の周囲に向かって空気を吹き出す２つの第２空調系統３０と、を備え、
　第１空調系統２０は、天井面３の略中央に設けられて、手術台５の直上に設けられた第１吹出口２１を有する第１フィルタボックス２２と、天井面３の第１吹出口２１から離れた位置に設けられた第１吸込口２３と、この第１吸込口２３から第１フィルタボックス２２に至るダクト２４と、を備え、
　第１フィルタボックス２２に循環ファン２５および電熱ヒータ２６の機能を組み込み、
　第１フィルタボックス２２の第１吹出口２１側には、空気浄化フィルタ２２１が設けられ、
　第２空調系統３０は、天井面３の第１吹出口２１の周囲に設けられて第２吹出口３１を有する第２フィルタボックス３２と、壁面４の下部に設けられて第２吸込口３３を有する空調機３４と、この空調機３４から第２フィルタボックス３２に至るダクト３５と、を備え、
　空調機３４は、送風機３４１、冷却コイル３４２、および加熱コイル３４３を備え、
　第２フィルタボックス３２の第２吹出口３１側には、空気浄化フィルタ３２１が設けられて」いることと、前者の
 「壁と天井と床とによって規定され、天井の各辺と壁との境界部に沿って天井における壁の近傍に貫通孔が設けられ、床に手術台が設置される手術室の空調設備であって、
　天井の中央に設置されるフィルタユニットであって、
　　第１吸込口と、手術台に臨んで配設される第１吹出口とを有する、天井に取り付けられる第１筐体と、
　　第１筐体内に設けられ、第１吸込口から空気を吸引し、かつ吸引した空気を第１吹出口へ排出する第１送風機と、
　　第１吹出口を覆うフィルタとを備えるフィルタユニットと、
　手術室の壁の各入隅部に設置される空調ユニットであって、
　　手術台に臨んで配設される第２吸込口と、第２吹出口とを有する、床上に設置される第２筐体と、
　　第２筐体内に設けられ、第２吸込口から空気を吸引し、かつ吸引した空気を第２吹出口へ排出する第２送風機と、
　　第２筐体内に設けられ、第２吸込口から第２吹出口へ流れる空気を昇温または冷却して、該空気の温度を予め定める温度に調節する温度調節手段とを備える空調ユニットと、
　一端部が前記空調ユニットの第２吹出口に接続され、他端部が前記フィルタユニットの第１吸込口に接続される第１ダクトと、
　手術室の室外に配置される中空の吸気部材であって、前記貫通孔に臨んで配設され、前記境界部に沿って延びる吸気口と、該吸気口から吸引した空気を排出するための排気口とを有する吸気部材と、
　一端部が吸気部材の排気口に接続され、他端部が第１筐体に接続され、該他端部に、第１筐体内の空気の流れによって、前記空気の流れの方向に内部の空気を引き出す吸引力が生じる第２ダクトとを含む」こととは、
 「壁と天井と床とによって規定され、天井に貫通孔が設けられ、床に手術台が設置される手術室の空調設備であって、
　天井の中央に設置されるフィルタユニットであって、
　　第１吸込口と、手術台に臨んで配設される第１吹出口とを有する、天井に取り付けられる第１筐体と、
　　第１筐体内に設けられ、第１吸込口から空気を吸引し、かつ吸引した空気を第１吹出口へ排出する第１送風機と、
　　第１吹出口を覆うフィルタとを備えるフィルタユニットと、
　手術室の壁に設置される空調ユニットであって、
　　手術台に臨んで配設される第２吸込口と、第２吹出口とを有する、第２筐体と、
　　第２筐体内に設けられ、第２吸込口から空気を吸引し、かつ吸引した空気を第２吹出口へ排出する第２送風機と、
　　第２筐体内に設けられ、第２吸込口から第２吹出口へ流れる空気を昇温または冷却して、該空気の温度を予め定める温度に調節する温度調節手段とを備える空調ユニットと、
　一端部が前記空調ユニットの第２吹出口に接続され、他端部が前記フィルタユニットの第１吸込口に接続される第１ダクトと、」
 「一端部が貫通孔側に接続され、他端部が第１筐体に接続され、該他端部に、第１筐体内の空気の流れによって、前記空気の流れの方向に内部の空気を引き出す吸引力が生じる第２ダクトとを含む」ことの限度で一致するといえる。
ク　以上のことより、本願発明１と引用発明の一致点、相違点は次のとおりと認める。
〔一致点１〕
 「壁と天井と床とによって規定され、天井に貫通孔が設けられ、床に手術台が設置される手術室の空調設備であって、
　天井の中央に設置されるフィルタユニットであって、
　　第１吸込口と、手術台に臨んで配設される第１吹出口とを有する、天井に取り付けられる第１筐体と、
　　第１筐体内に設けられ、第１吸込口から空気を吸引し、かつ吸引した空気を第１吹出口へ排出する第１送風機と、
　　第１吹出口を覆うフィルタとを備えるフィルタユニットと、
　手術室の壁に設置される空調ユニットであって、
　　手術台に臨んで配設される第２吸込口と、第２吹出口とを有する、第２筐体と、
　　第２筐体内に設けられ、第２吸込口から空気を吸引し、かつ吸引した空気を第２吹出口へ排出する第２送風機と、
　　第２筐体内に設けられ、第２吸込口から第２吹出口へ流れる空気を昇温または冷却して、該空気の温度を予め定める温度に調節する温度調節手段とを備える空調ユニットと、
　一端部が前記空調ユニットの第２吹出口に接続され、他端部が前記フィルタユニットの第１吸込口に接続される第１ダクトと、
　一端部が貫通孔側に接続され、他端部が第１筐体に接続され、該他端部に、第１筐体内の空気の流れによって、前記空気の流れの方向に内部の空気を引き出す吸引力が生じる第２ダクトとを含む空調設備。」
〔相違点１〕
　「貫通孔」に関し、本願発明１が、「天井の各辺と壁との境界部に沿って天井における壁の近傍」に設けられているのに対し、引用発明の「第１吸込口２３」（「貫通孔」に相当。）は、「天井面３の第１吹出口２１から離れた位置に設けられた」ものであり、天井面３の各辺と壁面４との境界部に沿って天井面３における壁面４の近傍に設けられたものではない点。
〔相違点２〕
　「空調ユニット」に関し、本願発明１が、「壁の各入隅部」に設置されるのに対し、引用発明の「空調機３４」（「空調ユニット」に相当。）は、そのような特定がない点。
〔相違点３〕
　「第２筐体」に関し、本願発明１が「床上に設置される」のに対し、引用発明の「筐体」といえるもの（上記オ参照）は、そのような特定がない点。
〔相違点４〕
　本願発明１が「手術室の室外に配置される中空の吸気部材であって、前記貫通孔に臨んで配設され、前記境界部に沿って延びる吸気口と、該吸気口から吸引した空気を排出するための排気口とを有する吸気部材」を有するものであり、「第２ダクト」の「一端部」が「吸気部材の排気口に接続され」るものであるのに対し、引用発明は、当該「吸気部材」に相当する事項を有していない点。
（２）判断
　上記相違点１、４について検討する。
　本願発明は「前記従来の空調設備１１０は、天井１０３に設置されたフィルタボックス１３２から空気を手術台１０５およびその周囲へ向かって吹き出し、空調機１３４が、壁１０４の下部に配設した吸込口１３３から空気を吸い込む構成であるから、手術室１０１における空気の主な流れは、天井１０３から、床１０２へ向かい、床１０２に沿って壁１０４に至るものである。このため、天井１０３と壁１０４との境界部１４０の近傍領域は、空気があまり流動しない停滞領域となる。停滞領域の空気中に含まれる塵埃や細菌などの微粒子は、除去されずに手術室１０１内に長期間留まる可能性がある。したがって、前記従来の空調設備１１０は、手術室１０１内に空気の停滞領域が存在するから、手術室１の清浄度を高めるのが難しいという問題がある。」（本願明細書の段落【００１０】）という従来技術の問題点を解決することを課題として発明されたものと認める。
　そして、当該課題を解決するため、上記相違点１、４に係る本願発明１の発明特定事項を備えることにより、「従来の空調設備では清浄化するのが困難であった手術室の天井と壁との境界部近傍の空気を、確実に清浄化することができるので、手術室の清浄度を高めることができる。」（同段落【００１８】）、「天井３と壁４との境界部８近傍の空気を吸気部材４１で吸引して、これをフィルタユニット２０を通過させて清浄化するから、手術室１内に空気の停滞領域が形成されるのが解消されるので、手術室１の清浄度を高めることができる効果が発揮される。」（同段落【００５０】）という作用効果を得ているものと認める。
　しかしながら、引用発明の「第１吸込口２３」の設置位置や、「第１吸込口２３」の変形例を説明する「なお、上述の各実施形態では、天井面３に第１吸込口２３を設けたが、これに限らず、
壁面４の下部
　また、引用文献２の記載事項（上記第５ ２（１））を検討しても、上記相違点１、４に係る本願発明１の発明特定事項に関連するような技術的事項は開示されていない。
　したがって、引用発明において、上記相違点１、４に係る本願発明１の発明特定事項を有するものとすることは、当業者であっても容易になし得たこととはいえない。
　以上のとおりであるから、他の相違点について検討するまでもなく、本願発明１は、引用発明及び引用文献２に記載された技術的事項に基いて当業者が容易に発明をすることができたとはいえない。
２　本願発明２について
（１）対比
　上記１（１）を参酌すると、本願発明２と引用発明との一致点、相違点は次のとおりと認める。
〔一致点２〕
 「壁と天井と床とによって規定され、貫通孔が設けられ、床に手術台が設置される手術室の空調設備であって、
　天井の中央に設置されるフィルタユニットであって、
　　第１吸込口と、手術台に臨んで配設される第１吹出口とを有する、天井に取り付けられる第１筐体と、
　　第１筐体内に設けられ、第１吸込口から空気を吸引し、かつ吸引した空気を第１吹出口へ排出する第１送風機と、
　　第１吹出口を覆うフィルタとを備えるフィルタユニットと、
　手術室の壁に設置される空調ユニットであって、
　　手術台に臨んで配設される第２吸込口と、第２吹出口とを有する、第２筐体と、
　　第２筐体内に設けられ、第２吸込口から空気を吸引し、かつ吸引した空気を第２吹出口へ排出する第２送風機と、
　　第２筐体内に設けられ、第２吸込口から第２吹出口へ流れる空気を昇温または冷却して、該空気の温度を予め定める温度に調節する温度調節手段とを備える空調ユニットと、
　一端部が前記空調ユニットの第２吹出口に接続され、他端部が前記フィルタユニットの第１吸込口に接続される第１ダクトと、
　一端部が貫通孔側に接続され、他端部が第１筐体に接続され、該他端部に、第１筐体内の空気の流れによって、前記空気の流れの方向に内部の空気を引き出す吸引力が生じる第２ダクトとを含む空調設備。」
〔相違点５〕
　「貫通孔」に関し、本願発明２が、「天井の各辺と壁との境界部に沿って壁における天井の近傍」に設けられているのに対し、引用発明の「第１吸込口２３」（「貫通孔」に相当。）は、「天井面３の第１吹出口２１から離れた位置に設けられた」ものであり、天井面３の各辺と壁面４との境界部に沿って壁面４における天井面３の近傍に設けられたものではない点。
〔相違点６〕
　「空調ユニット」に関し、本願発明２が、「壁の各入隅部」に設置されるのに対し、引用発明の「空調機３４」（「空調ユニット」に相当。）は、そのような特定がない点。
〔相違点７〕
　「第２筐体」に関し、本願発明２が「床上に設置される」のに対し、引用発明の「筐体」といえるもの（上記１（１）オ参照）は、そのような特定がない点。
〔相違点８〕
　本願発明２が「手術室の室外に配置される中空の吸気部材であって、前記貫通孔に臨んで配設され、前記境界部に沿って延びる吸気口と、該吸気口から吸引した空気を排出するための排気口とを有する吸気部材」を有するものであり、「第２ダクト」の「一端部」が「吸気部材の排気口に接続され」るものであるのに対し、引用発明は、当該「吸気部材」に相当する事項を有していない点。
（２）判断
　上記相違点５、８について検討する。
　上記１（２）の相違点１、４に対する検討と同様の理由により、引用発明において上記相違点５、８に係る本願発明２の発明特定事項を有するものとすることは、当業者であっても容易になし得たとはいえない。
　よって、他の相違点について検討するまでもなく、本願発明２は、引用発明及び引用文献２に記載された技術的事項に基いて当業者が容易に発明をすることができたとはいえない。
３　本願発明３〜５について
　本願発明３〜５は、本願発明１または２の発明特定事項を全て含みさらに限定したものであるので、本願発明１または２と同様の理由により、当業者が引用発明及び引用文献２〜４に記載された技術的事項に基いて容易に発明をすることができたとはいえない。
第７　原査定について
　審判請求時の補正により、本願発明１〜５は「天井の各辺と壁との境界部に沿って天井における壁の近傍に貫通孔が設けられ」たという事項（請求項１）、または、「天井の各辺と壁との境界部に沿って壁における天井の近傍に貫通孔が設けられた」という事項（請求項２）、及び、「手術室の室外に配置される中空の吸気部材であって、前記貫通孔に臨んで配設され、前記境界部に沿って延びる吸気口と、該吸気口から吸引した空気を排出するための排気口とを有する吸気部材」（請求項１、２）という事項を少なくとも有するものとなっており、当業者であっても、拒絶査定において引用された引用文献１に記載された発明及び引用文献２〜４に記載された技術的事項に基いて、容易に発明できたものとはいえない。
　したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。